(57)【要約】【課題】柱取付け部を柱に取付ける前又は後に選択的に保持部材を取付けて、位置調整が容易で、本固定が強固にできる。【解決手段】柱１に取付けるための柱取付け部２から側方に先端が自由端となった支持部３を突出して形成した本体部材４と、支持部３の自由端から支持部３にスライド自在に嵌め込み可能な保持部材５とで構成してある。保持部材５が、支持部３の上下両端縁部に嵌め込み係止する一対の上下の嵌め込み係止部６と、上下嵌め込み係止部６間を連結する連結部７と、連結部７に設けられたねじ孔８と、ねじ孔８に螺合すると共に先端が支持部３に突き当たるねじ具９と、連結部７から前方に突設して配線器具取付け部材１０の側面部が取付けられる取着部１１とを設けて構成してある。【選択図】        図１
2004328849.tif 000002
【特許請求の範囲】
【請求項１】
柱に取付けるための柱取付け部から側方に先端が自由端となった支持部を突出して形成した本体部材と、支持部の自由端から支持部にスライド自在に嵌め込み可能な保持部材とで構成され、保持部材が、支持部の上下両端縁部に嵌め込み係止する一対の上下の嵌め込み係止部と、上下嵌め込み係止部間を連結する連結部と、連結部に設けられたねじ孔と、ねじ孔に螺合すると共に先端が支持部に突き当たるねじ具と、連結部から前方に突設して配線器具取付け部材の側面部が取付けられる取着部とを設けて構成されていることを特徴とする配線器具取付け部材の支持金具。
【請求項２】
柱取付け部に取付け予定位置に位置合わせするための位置合わせ部を設けて成ることを特徴とする請求項１記載の配線器具取付け部材の支持金具。
【請求項３】
支持部の柱取付け部からの突出長さが柱間隔の１／２以上の長さを有していることを特徴とする請求項１又は請求項２記載の配線器具取付け部材の支持金具。
【請求項４】
取着部に配線器具取付け部材の前端面が当接するための当接部を設けて成ることを特徴とする請求項１乃至請求項３のいずれかに記載の配線器具取付け部材の支持金具。
【請求項５】
細長の板材を長手方向の端部で折曲することにより柱取付け部と、該柱取付け部の端部から側方に一体に突出した支持部とよりなる本体部材が構成され、支持部の上下両端縁部には折曲により形成された補強部が設けられ、補強部の長手方向の一端面が柱取付け部の柱への取着面と面一となるように構成して成ることを特徴とする請求項１乃至請求項４のいずれかに記載の配線器具取付け部材の支持金具。
【発明の詳細な説明】
【０００１】
【発明の属する技術分野】
本発明は、壁内の柱間において柱に固着して配線器具取付け部材を支持するための支持金具に関するものである。
【０００２】
【従来の技術】
従来から壁内の柱間において柱に固着して配線器具取付け部材を支持するための支持金具を、図８に示されるように、柱に取付けるための柱取付け部２’から側方に先端が自由端となった支持部３’を突出して形成した本体部材４’と、本体部材４’の支持部３’に設けた長孔３０に係止部３１をスライド自在に係止して取付ける保持部材５’とで構成し、該保持部材５’に配線器具取付け部材１０’の側面部をねじにより取付けるものが知られている。（例えば、特許文献１参照）
しかしながら、上記特許文献１に示された従来例は、支持部３’に横方向に長い長孔３０を形成し、この長孔３０に沿ってスライド自在に係止により取付けた保持部材５’に配線器具取付け部材１０’を取付けているので、配線器具取付け部材１０’及び配線器具取付け部材１０’に取付ける配線器具からの荷重を長孔３０を設けた支持部３’で支持することになって支持強度が低下するという問題がある。また、柱間の距離が短い現場においては支持部３’を切断して使用する場合があるが、このような場合には長孔３０の一端部が切断され、いっそう支持部３’による支持強度が低下し、更に、保持部材５’が長孔３０から抜け落ちるおそれがある。また、特許文献１に示すものは長孔３０に沿って保持部材５’の係止部３１をスライド自在に係止しているので、係止部３１による係止力を強くすると長孔３０に沿って保持部材５’をスライドし難くて位置決め作業が面倒となり、また、係止力を弱くすると、長孔３０に沿って保持部材５’をスライドする作業はし易いが、位置決め後に保持部材５’が位置ずれし易いという問題がある。また、この従来例においては、柱取付け部２’を柱に取付けた後に、長孔３０に保持部材５’の係止部３１を係止して取付けようとする場合、上記係止部３１による係止力を強くすると、前方からの長孔３０に係止する作業が難しく、また、係止に当たって大きな操作力が必要となり、このため、片持ち状に取付けられた本体部材４’の支持部３’に前方から大きな力が作用して支持部３’が変形してしまうという問題があり、一方、係止力を弱くすると係止後に保持部材５’が位置ずれすることになって好ましくない。このため、上記従来例においては、柱取付け部２’を柱に取付ける前に長孔３０にあらかじめ保持部材５’を係止し、その後、柱取付け部２’を柱に取付ける作業を行わなければならない。ところが、このようにあらかじめ保持部材５’を長孔３０に係止して取付けた状態で柱取付け部２’を柱側面に固着する作業を行うと、柱取付け部２’を柱に取付ける作業を行う際、つまり、柱取付け部２’に対して直交する方向からねじ締め操作等を行う際、保持部材５’が邪魔になって操作し難いものであり、施工性が悪いという問題がある。
【０００３】
また、他の従来例として特許文献２が知られている。この特許文献２に示された従来例は、図９に示しようなもので、柱１”に取付けるための柱取付け部２”と該柱取付け部２”から側方に突出した断面リップ付きコ字状をした支持部３”とで構成された一対の本体部材４”を、断面リップ付きコ字状をした支持部３”の先端部同士を深浅自在に嵌め込んで接続し、更に断面リップ付きコ字状をした支持部３”内に挟圧板３３をスライド自在に嵌め込み、このようにして接続した一対の本体部材４”の各柱取付け部２”をそれぞれ隣接する柱１”の対向面に固着し、断面リップ付きコ字状をした支持部３”の前面側に配線器具取付け部材１０”であるスイッチボックスの底面部３４を当接し、スイッチボックスの底面部３４に設けたねじ挿入孔３５から挿入したねじ３６を断面リップ付きコ字状をした支持部３”内にスライド自在に嵌め込んだ挟圧板３３のねじ孔３７に螺合して挟圧板３３とスイッチボックスの底面部３４とで支持部３”の上下のリップ片を前後から挟持することでスイッチボックスを取付けるようにしている。
【０００４】
しかしながら、この従来例にあっては、ねじ３６によりスイッチボックスを取付ける際、挟圧板３３よりも大きいスイッチボックスの底面部３４により挟圧板３３が隠されて前方から見えず、また、挟圧板３３がスライド自在であって、ずれ易いので、スイッチボックスの底面部３４に設けたねじ挿入孔３５から挿入したねじを挟圧板３３のねじ孔３７に螺合する作業がきわめて難しく、したがって、いったん一対の本体部材４”の各柱取付け部２”をそれぞれ隣接する柱１”の対向面に固着した後でスイッチボックスを取付ける作業を行うのは困難であり、このため、一対の本体部材４”の各柱取付け部２”をそれぞれ隣接する柱１”の対向面に固着する前に、あらかじめスイッチボックスを仮取付けしておく必要がある。ところが、このようにあらかじめスイッチボックスを仮取付けした状態で一対の本体部材４”の各柱取付け部２”をそれぞれ隣接する柱１”の対向面に固着する作業を行うと、柱取付け部２”を柱１”に取付ける作業を行う際、つまり、柱取付け部２”に対して直交する方向からねじ３６締め操作等を行う際、スイッチボックスが邪魔になって操作し難く、施工性が悪いという問題がある。また、この従来例においては配線器具取付け部材１０”として底面部３４を有するスイッチボックスしか取付けることができず、底面部３４が無い配線器具取付け部材１０”は取付けることができないという問題がある。
【０００５】
【特許文献１】
特公昭５５−２０１００号公報
【特許文献２】
実公昭５１−１７５０８号公報
【０００６】
【発明が解決しようとする課題】
本発明は上記の点に鑑みてなされたものであり、柱取付け部を柱に取付ける前、あるいは後のいずれであっても簡単に保持部材を取付けることができると共に位置調整が容易で且つ位置調整後において簡単な操作で位置ずれを防止できて施工性を向上させ、また、簡単構成で施工時に作用する力や施工後に作用する荷重を確実に支持して変形を防止できる配線器具取付け部材の支持金具を提供することを課題とするものである。
【０００７】
【課題を解決するための手段】
上記課題を解決するために本発明に係る配線器具取付け部材の支持金具は、柱１に取付けるための柱取付け部２から側方に先端が自由端となった支持部３を突出して形成した本体部材４と、支持部３の自由端から支持部３にスライド自在に嵌め込み可能な保持部材５とで構成され、保持部材５が、支持部３の上下両端縁部に嵌め込み係止する一対の上下の嵌め込み係止部６と、上下嵌め込み係止部６間を連結する連結部７と、連結部７に設けられたねじ孔８と、ねじ孔８に螺合すると共に先端が支持部３に突き当たるねじ具９と、連結部７から前方に突設して配線器具取付け部材１０の側面部が取付けられる取着部１１とを設けて構成されていることを特徴とするものである。
【０００８】
このような構成とすることで、保持部材５を支持部３の自由端からスライド自在に嵌め込むことができ、現場の状況に応じて、柱取付け部２を柱１に固定する前に保持部材５を嵌め込んでおくか、あるいは、柱取付け部２を柱１に固定した後に保持部材５を嵌め込むかといういずれの施工でも採用できるものであり、また、柱１間の間隔に合わせて支持部３を切断しても、上記と同様に保持部材５を支持部３の自由端からスライド自在に嵌め込むことで問題無く対応できるものである。そして、保持部材５を支持部３の自由端から嵌め込んでスライドすることで、簡単に位置決めができ、位置決め後は前方からの操作でねじ具９を締め付けることで、保持部材５が動かないように本固定できるものであり、しかも、取着部１１に配線器具取付け部材１０は側面部を取付けるので、配線器具取付け部材１０として底面部のあるもの、底面部のないもののいずれであっても取付けることができるものである。また、支持部３には長孔を設ける必要がないので、支持強度が強いものである。
【０００９】
また、柱取付け部２に取付け予定位置に位置合わせするための位置合わせ部１２を設けることが好ましい。
【００１０】
このような構成とすることで、柱１の取付け予定位置（いわゆる墨出し位置）に位置合わせ部１２を合わせることで、柱取付け部２を柱１の所定位置に取付けることができるものである。
【００１１】
また、支持部３の柱取付け部２からの突出長さが柱１間隔の１／２以上の長さを有していることが好ましい。
【００１２】
このような構成とすることで、対向する柱１の対向側面のいずれかに本体部材４の柱取付け部２を取付けることにより、柱１間の幅方向のいずれの位置にも配線器具取付け部材１０を取付けることができるものである。
【００１３】
また、取着部１１に配線器具取付け部材１０の前端面が当接するための当接部１３を設けることが好ましい。
【００１４】
このような構成とすることで、配線器具取付け部材１０の前端面を当接部１３に当接して位置決めした状態で配線器具取付け部材１０を取着部１１の正しい位置に取付けることができる。
【００１５】
また、細長の板材を長手方向の端部で折曲することにより柱取付け部２と、該柱取付け部２の端部から側方に一体に突出した支持部３とよりなる本体部材４が構成され、支持部３の上下両端縁部には折曲により形成された補強部１４が設けられ、補強部１４の長手方向の一端面１４ａが柱取付け部２の柱１への取着面２ａと面一となるように構成することが好ましい。
【００１６】
このような構成とすることで、補強部１４により支持部３の補強ができ、また、この補強部１４に保持部材５の上下の嵌め込み係止部６が嵌め込まれることで、保持部材５の取付け強度が向上し、更に、補強部１４の長手方向の一端面１４ａが柱取付け部２の柱１への取着面２ａと面一となっていることで、配線器具取付け部材１０を取付ける際に、片持ちとなった支持部３に前方から奥行き方向に押圧力が作用する力を確実に支持部３の突出基部部分で支持できるものである。
【００１７】
【発明の実施の形態】
以下、本発明を添付図面に示す実施形態に基づいて説明する。
【００１８】
本発明の支持金具Ａは、柱１に取付けるための部材である本体部材４と、本体部材４にスライド自在に取付けて配線器具取付け部材１０を取付け保持するための保持部材５との２部材により構成してある。
【００１９】
本体部材４は図６に示すように断面Ｌ字状をしており、柱取付け部２の後端部から一側方に向けて先端が自由端となった支持部３を突出して形成してある。ここで、添付図面に示す実施形態においては、細長の金属製の板材を長手方向の端部で折曲することにより断面Ｌ字状に形成してあり、Ｌ状の２片のうち短片側である一片が縦板状をした柱取付け部２となり、長片側である他の一片が横方向に長い縦板状をした支持部３となっている。
【００２０】
縦板状をした柱取付け部２には釘や木ねじ等の固着具を挿入するための挿入孔１５が設けてある。また、柱取付け部２には取付け予定位置に位置合わせするための位置合わせ部１２が設けてあり、添付図面に示す実施形態においては、柱取付け部２の前端縁に切欠きを設けて位置合わせ部１２としてある。横方向に長い縦板状をした支持部３は柱取付け部２に対して直角となっていて、この支持部３の上下端縁部をそれぞれ背方に折曲して上下の補強部１４を支持部３の全長にわたって設けてある。したがって、支持部３は縦断面形状がコ字状をしていてこの縦断面形状は支持部３の柱取付け部２からの突出方向（長手方向）の全長において同じ断面形状をしている。ここで、支持部３の上下端縁部に設けた補強部１４の長手方向の一端部（柱取付け部２側の端部）は図６に示すように支持部３の一端部よりも僅かに突出していて該補強部１４の長手方向の一端面１４ａが柱取付け部２の柱１への取着面２ａと面一となっている。
【００２１】
保持部材５は図７に示すようなもので、上記構成の支持部３の上下両端縁部に嵌め込み係止する略レ字状をした一対の上下の嵌め込み係止部６と、上下嵌め込み係止部６間を連結する縦板状をした連結部７と、連結部７に設けられたねじ孔８と、ねじ孔８に螺合すると共に先端が支持部３に突き当たるねじ具９と、縦板状をした連結部７の一側端縁部から前方に向けて直角に突設した縦板状をした取着部１１により構成してある。この縦板状をした取着部１１には配線器具取り付け部材１０を取付けるための取付け孔１６が設けてあり、更に、取着部１１の前端縁部は連結部７と反対側の側方に直角に折り曲げてあって配線器具取付け部材１０の前端面を当接して位置決めするための当接部１３となっている。
【００２２】
上記のような構成の保持部材５は、本体部材４の支持部３の自由端からスライド自在に嵌め込むのであるが、この場合、連結部７の上下両端部に設けた一対の上下の嵌め込み係止部６が支持部３の上下両端縁部にスライド自在に嵌め込み係止されるものであり、保持部材５を支持部３に沿ってスライドさせて取付け位置調整を行ない、位置決めができると、ねじ具９を締付けることでねじ具９の先端を支持部３の前面に押接して保持部材５を支持部３の位置決めした箇所に固定するものである。これにより、スライドによる位置決め操作が軽い力で容易にでき、また、位置決め後はねじ具９を締め付けるだけでずれないように強固に固定できるものである。
【００２３】
しかして、上記のような構成の本体部材４と保持部材５とよりなる支持金具Ａは次のようにして施工して図１乃至図４に示すように取付けるものである。
【００２４】
すなわち、柱１の側面に本体部材４の縦板状をした柱取付け部２の柱１への取着面２ａ及び上下の嵌め込み係止部６の長手方向の端面を当接した状態で挿入孔１５から挿入した釘や木ねじ等の固着具２５により柱１に固着する。この場合、柱１に墨出しをしておいて該墨出しにより設定した取付け予定位置に柱取付け部２に設けた位置合わせ部１２を位置合わせして上記固着作業を行うことで、簡単に柱１の所定の位置に柱取付け部２を固着できるものである。ここで、上記柱１への柱取付け部２の固着作業に当たり、保持部材５を支持部３に取付けない状態で行うと、支持部３の前方において柱取付け部２の挿入孔１５に固着具２５を横方向から挿入して固着作業を行うに当たって保持部材５に邪魔されることなく、容易に行うことができる。もちろん、支持部３にあらかじめ保持部材５を嵌め込んだ状態で柱取付け部２を柱１に固着することも可能である。
【００２５】
本体部材４の柱取付け部２を柱１に固着した後、保持部材５を支持部３の長手方向にスライドさせて位置調整を行し、位置調整が終わると、ねじ具９を締付けて保持部材５を支持部３の位置決めした箇所に固定する。このスライドによる位置調整、ねじ具９による固定が終わると、縦板状をした取着部１１の一側面に配線器具取り付け部材１０の一側面部を当接すると共に配線器具取付け部材１０の前端面を当接部１３に当接して位置決めし、この状態で取付け孔１６を利用して配線器具取付け部材１０の側面部を取着部１１にねじ具２０により取付ける。もちろん、スライドによる位置調整、ねじ具９による固定に先だって取着部１１に配線器具取付け部材１０を取付け、その後、保持部材５を支持部３の長手方向にスライドさせて位置調整を行し、位置調整が終わると、ねじ具９を締付けて保持部材５を支持部３の位置決めした箇所に固定するようにしてもよいものである。
【００２６】
配線器具取り付け部材１０は大別して底面部を有さない枠形状をしたものと、底面部を有するボックス形状をしたものとがあるが、本発明においては配線器具取り付け部材１０の側面部を取着部１１に取付けるので、底面部を有さない枠形状の場合、底面部を有するボックス形状のものの場合のいずれであっても問題なく取付けることができる。
【００２７】
柱１の前後両側には図２に示すように壁面材２１が取付けられるが、前面側の壁面材２１には配線器具取付け部材１０に対応して開口部が形成され、配線器具取付け部材１０に取付ける各種配線器具（図示せず）が開口部に位置し、壁面材２１の表面側において開口部に位置する配線器具の周囲を囲むように化粧カバー（図示せず）を取付けるようになっている。
【００２８】
ところで、配線器具取付け部材１０の保持部材５への取付け作業時や、各種配線器具の配線器具取付け部材１０への取付け作業時に、先端が自由端となった支持部３に奥行き方向の大きな押圧力が作用することがあるが、この場合、上下の嵌め込み係止部６の長手方向の端面が柱１の側面に当接しているので、上記奥行き方向の押圧力に対する強度を向上させることができ、先端が自由端となった支持部３の変形を防止できるものである。
【００２９】
また、支持部３の自由端から支持部３の上下両端縁部に保持部材５の上下の嵌め込み係止部６をスライド自在に嵌め込んで位置調整後に前方からのねじ具９の締付け作業のみで固定できるので、片面側の壁面材２１が先に施工してある場合であっても、前方からの作業のみで簡単に作業できるものである。
【００３０】
本発明において、支持部３の柱取付け部２からの突出長さ（つまり支持部３の長手方向の長さ）は柱１間隔よりも短く且つ柱１間隔の１／２以上の長さとするのが好ましい。これにより対向する柱１の対向側面のいずれかに本体部材４の柱取付け部２を取付けることで、柱１間の幅方向のいずれの位置にも配線器具取付け部材１０を取付けることができるものである。
【００３１】
また、図２のように、支持部３の柱取付け部２からの突出長さが柱１間隔の１／２以下の場合でも、支持部３の先端部に保持部材５を取付け、該保持部材５に配線器具取付け部材１０を取付けた状態で、配線器具取付け部材１０の横幅方向のセンタ位置が柱１間の中間に位置するようなものであれば、対向する柱１の対向側面のいずれかに本体部材４の柱取付け部２を取付けることで、柱１間の幅方向のいずれの位置にも配線器具取付け部材１０を取付けることができるものである。
【００３２】
ところで、マンションやオフィースビルにおいて間仕切りを構成する場合など、柱１間隔（柱ピッチ）はあらかじめ決まっているが、一方、部屋の大きさ等は様々で、例えばドア側から上記のピッチで柱１を設置した場合、末端では所定のピッチよりも短くなる場合がある。このような場合には先端が自由端となった支持部３を任意の長さに切断して使用する必要があるが、本発明においては、支持部３は縦断面形状が支持部３の長手方向の各部において同じ断面形状をしており、先端の自由端から保持部材５をスライド自在に嵌め込むので、切断しても保持部材５の取付けに当たって何らの影響がなく、切断しない場合と同様の取付けが可能であって、支持部３のどの位置であっても自由端からスライドして取付けできると共に取付け強度も低下しないものである。
【００３３】
【発明の効果】
上記のように本発明の請求項１記載の発明にあっては、保持部材を支持部の自由端からスライド自在に嵌め込むことができ、現場の状況に応じて、保持部材の嵌め込みが柱取付け部を柱に固定する前又は後に自由に選択して施工でき、また、柱間の間隔に合わせて支持部を切断しても、上記と同様に保持部材を支持部の自由端からスライド自在に嵌め込むことで問題無く対応できて、施工性が向上するものであり、保持部材を支持部の自由端から嵌め込んでスライドすることで、簡単に位置決めができ、しかも、支持部には長孔を設ける必要がないので、支持強度が強いものであり、位置決め後は前方からの操作でねじ具を締め付けることで、保持部材が動かないように本固定できて、位置決め操作が容易であるにもかかわらず位置決め後の本固定がずれないように強固に固定できるものであり、また、取着部に配線器具取付け部材は側面部を取付けるので、配線器具取付け部材として底面部のあるもの、底面部のないもののいずれであっても取付けることができるものである。
【００３４】
また、請求項２記載の発明にあっては、上記請求項１記載の発明の効果に加えて、柱取付け部を柱の所定位置に簡単且つ正確に取付けることができて、施工性が向上するものである。
【００３５】
また、請求項３記載の発明にあっては、上記請求項１又は請求項２記載の発明の効果に加えて、対向する柱の対向側面のいずれかに本体部材の柱取付け部を取付けることで、簡単な構成の本体部材により柱間の幅方向のいずれの位置にも配線器具取付け部材を取付けることができるものである。
【００３６】
また、請求項４記載の発明にあっては、上記請求項１乃至請求項３のいずれかに記載の発明の効果に加えて、配線器具取付け部材の前端面を当接部に当接して位置決めした状態で配線器具取付け部材を取着部の正しい位置に取付けることができて施工性が向上するものである。
【００３７】
また、請求項５記載の発明にあっては、上記請求項１乃至請求項４のいずれかに記載の発明の効果に加えて、補強部により支持部の補強ができ、また、保持部材の取付け強度が向上し、更に、配線器具取付け部材を取付ける際に、片持ちとなった支持部に前方から奥行き方向に押圧力が作用するが、この奥行き方向の押圧力を確実に支持部の突出基部部分で支持して支持部の変形を防止できるものである。
【図面の簡単な説明】
【図１】本発明の支持金具の施工状態を示す斜視図である。
【図２】同上の平面図である。
【図３】同上の正面図である。
【図４】同上の側面図である。
【図５】同上の支持金具の分解斜視図である。
【図６】同上に用いる本体部材を示し、（ａ）は平面図であり、（ｂ）は正面図であり、（ｃ）は右側面図であり、（ｄ）は左側面図である。
【図７】同上に用いる保持部材を示し、（ａ）は平面図であり、（ｂ）は正面図であり、（ｃ）は背面図であり、（ｄ）は右側面図であり、（ｅ）は左側面図であり、（ｆ）は底面図である。
【図８】従来例を示し、（ａ）は分解斜視図であり、（ｂ）は長孔に係止して取付けた状態の斜視図である。
【図９】他の従来例を示し、（ａ）は正面図であり、（ｂ）は断面図である。
【符号の説明】
１  柱
２  柱取付け部
２ａ  取着面
３  支持部
４  本体部材
５  保持部材
６  嵌め込み係止部
７  連結部
８  ねじ孔
９  ねじ具
１０  配線器具取付け部材
１１  取着部
１２  位置合わせ部
１３  当接部
１４  補強部
１４  一端面
【図１】
2004328849.tif 000003
【図２】
2004328849.tif 000004
【図３】
2004328849.tif 000005
【図４】
2004328849.tif 000006
【図５】
2004328849.tif 000007
【図６】
2004328849.tif 000008
【図７】
2004328849.tif 000009
【図８】
2004328849.tif 000010
【図９】
2004328849.tif 000011